(57)【要約】【課題】ページ失敗の確率を低減した高速ページング・チャネル。【解決手段】ほぼ独立した複数の識別子と可変容量を有する高速ページング・メッセージを生成するシステムと方法が記載される。該システムは、アクセス端末を特定する高速ページング・メッセージを生成して該アクセス端末に対するスケジュールされたページング・メッセージの存在を示す。該システムは、スケジュールされたページング・メッセージを有するそれぞれのアクセス端末に対して高速ページング通知を生成し、そして、該高速ページング・メッセージで通知されるそれぞれのアクセス端末に属するほぼ独立した圧縮識別子を生成する。圧縮技術は、１つの高速ページング・メッセージで通知されるアクセス端末の個数と同様該高速ページング・メッセージに割り当てられるビット数に基づいて変わることが出来る。【選択図】      図１
2008547287.tif 000002
【特許請求の範囲】
【請求項１】
無線通信システムにおいて高速（quick）ページ・メッセージを生成する方法であって、
該高速ページ・メッセージにおいて通知される少なくとも１つのアクセス端末に対して圧縮された識別子の値（圧縮識別子値）を生成すること、
該圧縮識別子を含む該高速ページング・メッセージをアセンブルすること、及び
該高速ページ・メッセージの少なくとも一部を含む無線信号を生成すること
を具備する方法。
【請求項２】
該無線信号を生成することは、該高速ページ・メッセージの少なくとも該一部を含む直交周波数分割多重（Orthogonal Frequency Division Multiplex）（ＯＦＤＭ）シンボルを生成することを具備する、請求項１の方法。
【請求項３】
スーパーフレーム・プリアンブルの期間に該ＯＦＤＭシンボルを無線送信することを更に具備する、請求項２の方法。
【請求項４】
ページング・メッセージを受信するようにスケジュールされたアクセス端末の個数を決定すること、
該個数が事前に決定された最大個数を超えるかどうかを判定すること、及び
該個数が該事前に決定された最大個数を超えるかどうかに基づいて該高速ページ・メッセージ中にページ個数フィールドを配置すること（populating）
を更に具備する、請求項１の方法。
【請求項５】
該ページ個数フィールドを配置することは、もし該個数が該事前に決定された最大個数を超えないならば、該個数を該ページ個数フィールドに配置することを具備する、請求項４の方法。
【請求項６】
該ページ個数フィールドを配置することは、もし該個数が該事前に決定された最大個数を超えるならば、該事前に決定された最大個数を該ページ個数フィールドに配置することを具備する、請求項４の方法。
【請求項７】
該個数が該事前に決定された最大個数を超えるかどうかに基づいて該高速ページ・メッセージ中にインジケータ・フィールドを設定することを更に具備する、請求項４の方法。
【請求項８】
該圧縮識別子値を生成することは、
ページング・メッセージを受信するようにスケジュールされたアクセス端末の個数を決定すること、
該個数に少なくとも一部は基づいて少なくとも１つの該アクセス端末に対する該圧縮識別子値を生成すること
を具備する、請求項１の方法。
【請求項９】
該個数に少なくとも一部は基づいて該圧縮識別子値を生成することは、該個数に基づいてアクセス端末識別子のハッシュ値を生成することを具備する、請求項８の方法。
【請求項１０】
該個数に少なくとも一部は基づいて該圧縮識別子値を生成することは、
該個数に基づいて圧縮識別子のビット長を決定すること、及び
アクセス端末識別子を該圧縮識別子のビット長を有する該圧縮識別子値に圧縮すること
を具備する、請求項８の方法。
【請求項１１】
該圧縮識別子値を生成することは、該少なくとも１つのアクセス端末のアクセス端末識別子に基づいて該圧縮識別子値を生成することを具備する、請求項１の方法。
【請求項１２】
該高速ページング・メッセージをアセンブルすることは、複数の圧縮識別子値を連結することを具備する、請求項１の方法。
【請求項１３】
該高速ページング・メッセージをアセンブルすることは、
該圧縮識別子値を層別すること、ここにおいて、それぞれの圧縮識別子値は事前に設定されたアルゴリズムに従って別個のアクセス端末に対応する、及び
該圧縮識別子値を該層別に基づく順序で連結すること
を具備する、請求項１の方法。
【請求項１４】
スーパーフレーム・プリアンブルの期間に該無線信号を無線送信することを更に具備する、請求項１の方法。
【請求項１５】
該無線信号を生成することは、該高速ページ・メッセージの異なる部分を持つ複数の直交周波数分割多重（ＯＦＤＭ）サブキャリアを変調する直角位相シフト・キー（Quadrature Phase Shift Key）（ＱＰＳＫ）を具備する、請求項１の方法。
【請求項１６】
無線通信システムにおいて高速ページ・メッセージを生成する方法であって、
少なくとも１つのページング・メッセージを受信するようにスケジュールされたアクセス端末の識別情報を決定すること、
少なくとも１つのページング・メッセージを受信するようにスケジュールされたアクセス端末の個数を決定すること、
少なくとも１つのページング・メッセージを受信するようにスケジュールされた該アクセス端末の少なくとも一部のそれぞれに対して圧縮識別子値を決定すること、及び
少なくとも１つのページング・メッセージを受信するようにスケジュールされた該アクセス端末の個数及び該圧縮識別子値に少なくとも一部は基づいて該高速ページ・メッセージをアセンブルすること
を具備する方法。
【請求項１７】
該高速ページ・メッセージの予備フィールドを事前に決定された長さにゼロ・パディングすることを更に具備する、請求項１６の方法。
【請求項１８】
少なくとも１つのページング・メッセージを受信するようにスケジュールされた該アクセス端末の個数に一部は基づき該高速ページ・メッセージ中にフィールドを設定することを更に具備する、請求項１６の方法。
【請求項１９】
該高速ページ・メッセージの少なくとも一部を有する直交周波数分割多重（ＯＦＤＭ）シンボルを生成することを更に具備する、請求項１６の方法。
【請求項２０】
該無線通信システムのスーパーフレームの事前に設定されたタイム・スロットにおいて該ＯＦＤＭシンボルを送信することを更に具備する、請求項１９の方法。
【請求項２１】
該圧縮識別子値を決定することは、少なくとも１つのページング・メッセージを受信するようにスケジュールされた該アクセス端末の個数に少なくとも一部は基づいて該圧縮識別子を生成することを具備する、請求項１６の方法。
【請求項２２】
該圧縮識別子値を決定することは、アクセス端末識別子値に少なくとも一部は基づいてハッシュ値を生成することを具備する、請求項１６の方法。
【請求項２３】
該高速ページング・メッセージをアセンブルすることは、
識別子フィールドにおいて複数の該圧縮識別子値を連結すること、
少なくとも１つのページング・メッセージを受信するようにスケジュールされた該アクセス端末の個数に基づいて計数フィールドを設定すること、
少なくとも１つのページング・メッセージを受信するようにスケジュールされた該アクセス端末の個数に基づいて追加ページ・フィールドを設定すること、
を具備する、請求項１６の方法。
【請求項２４】
無線通信システムにおいて高速ページ・メッセージを処理する方法であって、
該高速ページ・メッセージを有する無線信号を受信すること、
該無線信号から該高速ページ・メッセージを復元すること、
該高速ページ・メッセージ中の圧縮識別子値の個数を決定すること、及び
該高速ページ・メッセージからのそれぞれの圧縮識別子値を事前に決定された圧縮識別子値と比較すること
を具備する方法。
【請求項２５】
該高速ページ・メッセージ中の追加ページ・フィールドの状態を判定することを更に具備する、請求項２４の方法。
【請求項２６】
該高速ページ・メッセージを有する該無線信号を受信することは、該高速ページ・メッセージの少なくとも一部を有する直交周波数分割多重（ＯＦＤＭ）シンボルを受信することを具備する、請求項２４の方法。
【請求項２７】
該高速ページ・メッセージを復元することは、直交周波数分割多重（ＯＦＤＭ）シンボルのサブキャリアから成る少なくとも部分集合を復調することを具備する、請求項２４の方法。
【請求項２８】
該圧縮識別子値の個数を決定することは、該圧縮識別子値の個数を示す該高速ページ・メッセージ中の計数フィールドを読むことを具備する、請求項２４の方法。
【請求項２９】
それぞれの圧縮識別子値を比較することは、
該高速ページ・メッセージ中の該圧縮識別子値の個数に基づいて該事前に決定された圧縮識別子値を決定すること、及び
それぞれの圧縮識別子値を該事前に決定された圧縮識別子値と比較すること
を具備する、請求項２４の方法。
【請求項３０】
該事前に決定された圧縮識別子値を決定することは、圧縮アルゴリズム及び該高速ページ・メッセージ中の該圧縮識別子値の個数に基づいて該事前に決定された圧縮識別子を生成することを具備する、請求項２９の方法。
【請求項３１】
該事前に決定された圧縮識別子値を決定することは、該高速ページ・メッセージ中の該圧縮識別子値の個数に一部は基づいて記憶デバイスから該事前に決定された圧縮識別子を検索することを具備する、請求項２９の方法。
【請求項３２】
高速ページ・メッセージを生成するための装置であって、
ページング・メッセージを受信するようにスケジュールされた複数の独立したアクセス端末の個数を決定するために構成されたページング・メッセージ計数器、
該ページング・メッセージ計数器に接続され且つ該複数の独立したアクセス端末の少なくとも部分集合のそれぞれに対する圧縮識別子を生成するために構成された圧縮識別子生成器、及び
該圧縮識別子生成器に接続され且つ該複数の独立したアクセス端末の個数に基づいて該高速ページ・メッセージ中に計数フィールドを設定するために構成され、そして更に該複数の独立したアクセス端末の部分集合のそれぞれに対応する圧縮識別子を連結するために構成された、メッセージ・アセンブラ
を具備する装置。
【請求項３３】
該圧縮識別子生成器は、事前に決定された最大個数よりも多くない独立したアクセス端末に対して該圧縮識別子を生成する、請求項３２の装置。
【請求項３４】
該圧縮識別子生成器は、該独立したアクセス端末の個数に少なくとも一部は基づいて該圧縮識別子を生成する、請求項３２の装置。
【請求項３５】
該圧縮識別子生成器は、１つのアクセス端末識別子に少なくとも一部は基づいて該圧縮識別子を生成する、請求項３２の装置。
【請求項３６】
該圧縮識別子生成器は、該独立したアクセス端末の個数に、一部は、依存する可変圧縮率に基づいて該圧縮識別子を生成する、請求項３２の装置。
【請求項３７】
該圧縮識別子生成器は、もし該独立したアクセス端末の個数が０ならば、予備値を生成する、請求項３２の装置。
【請求項３８】
メッセージ・アセンブラは、ページング・メッセージを受信するようにスケジュールされた該独立したアクセス端末の個数に一部は基づき該高速ページ・メッセージ中に追加識別子フィールドを設定するために更に構成される、請求項３２の装置。
【請求項３９】
高速ページ・メッセージを処理するための装置であって、
該高速ページ・メッセージを有する無線信号を受信するために構成される受信機、
該受信機に接続され、そして該無線信号から該高速ページ・メッセージを抽出するために構成される受信プロセッサ、
事前に決定された圧縮識別子を生成するために構成される圧縮値モジュール、及び
該高速ページ・メッセージから少なくとも１つの圧縮識別子を抽出するために、そして、システムがスケジュールされたページング・メッセージを通知されているかどうかを判断する目的で、該少なくとも１つの抽出された圧縮識別子を該事前に決定された圧縮識別子と比較するために、構成される比較器、
を具備する装置。
【請求項４０】
該受信プロセッサは、該高速ページ・メッセージを復元するために直交周波数分割多重（ＯＦＤＭ）シンボルのサブキャリアから成る少なくとも部分集合を復調するために構成される、請求項３９の装置。
【請求項４１】
該圧縮値モジュールは、該高速ページ・メッセージ中に含まれる該圧縮識別子値の個数に一部は基づいて該事前に決定された圧縮識別子値を生成するために構成される、請求項３９の装置。
【請求項４２】
該圧縮値モジュールは、該高速ページ・メッセージ中に含まれる圧縮識別子値の個数に一部は基づいて記憶デバイスに記憶された複数の事前に決定された識別子から該事前に決定された圧縮識別子を検索するために構成される、請求項３９の装置。
【請求項４３】
高速ページ・メッセージを生成する装置であって、
該高速ページ・メッセージで通知される少なくとも１つのアクセス端末に対して圧縮識別子値を生成するための手段、
該圧縮識別子を含む該高速ページング・メッセージをアセンブルするための手段、及び
該高速ページ・メッセージの少なくとも一部を含む無線信号を送信するための手段、
を具備する装置。
【請求項４４】
該無線信号を送信するための該手段は、
該高速ページ・メッセージの該少なくとも一部を含む直交周波数分割多重（ＯＦＤＭ）シンボルを生成するための手段、及び
スーパーフレーム・プリアンブルの期間に該ＯＦＤＭシンボルを無線送信するための手段
を具備する、請求項４３の装置。
【請求項４５】
ページング・メッセージを受信するようにスケジュールされたアクセス端末の個数を決定するための手段、
該個数が事前に決定された最大個数を超えるかどうかを判定するための手段、及び
該個数が該事前に決定された最大個数を超えるかどうかに基づいて該高速ページ・メッセージ中にページ個数フィールドを配置するための手段
を更に具備する、請求項４３の装置。
【請求項４６】
該圧縮識別子値を生成するための該手段は、
ページング・メッセージを受信するようにスケジュールされたアクセス端末の個数を決定すること、
該個数に少なくとも一部は基づいて少なくとも１つの該アクセス端末に対して該圧縮識別子値を生成すること
を具備する、請求項４３の装置。
【請求項４７】
高速ページ・メッセージを処理するための装置であって、
該高速ページ・メッセージを有する無線信号を受信するための手段、
該無線信号から該高速ページ・メッセージを復元するための手段、
該高速ページ・メッセージ中の圧縮識別子値の個数を決定するための手段、及び、
該高速ページ・メッセージからの各圧縮識別子値を事前に決定された圧縮識別子値と比較するための手段、
を具備する装置。
【請求項４８】
該圧縮識別子値の個数を決定するための該手段は、該圧縮識別子値の個数を示す該高速ページ・メッセージ中の計数フィールドを読むための手段を具備する、請求項４７の装置。
【請求項４９】
各圧縮識別子値を比較するための該手段は、
該高速ページ・メッセージ中の該圧縮識別子値の個数に基づいて該事前に決定された圧縮識別子値を決定するための手段、及び
それぞれの圧縮識別子値を該事前に決定された圧縮識別子値と比較するための手段
を具備する、請求項４７の装置。
【請求項５０】
１又は複数のプロセッサによって利用されることが出来る命令を含むプロセッサ可読媒体であって、該命令は、
高速ページ・メッセージで通知される少なくとも１つのアクセス端末に対する圧縮識別子値を生成するための命令、
該圧縮識別子を含む該高速ページング・メッセージをアセンブルするための命令、及び
該高速ページ・メッセージの少なくとも一部を含む信号を生成するため、そして該信号を無線送信機に接続するための命令
を具備することを特徴とする、プロセッサ可読媒体。
【請求項５１】
１又は複数のプロセッサによって利用されることが出来る命令を含むプロセッサ可読媒体であって、該命令は、
高速ページ・メッセージを有する信号を受信するための命令、
該信号から該高速ページ・メッセージを復元するための命令、
該高速ページ・メッセージ中の圧縮識別子値の個数を決定するための命令、及び
該高速ページ・メッセージからの各圧縮識別子値を事前に決定された圧縮識別子値と比較するための命令
を具備することを特徴とする、プロセッサ可読媒体。
【発明の詳細な説明】
【関連文献】
【０００１】
［３５Ｕ．Ｓ．Ｃ．§１１９に基づく優先権の表明］
本特許出願は、２００５年６月１６日に提出された“ページング失敗確率を低減した高速（quick）ページング・チャネル”と題する米国特許仮出願番号第６０／６９１，４６９号、及び２００５年１０月２７日に提出された“移動広帯域無線のより高いＭＡＣを提供するための方法及び装置”と題する米国特許仮出願番号第６０／７３１，０３７号に優先権を表明するもので、両者は共に本出願の譲受人に譲渡され、そして、本出願における参照としてここに明確に組み込まれる。
【背景技術】
【０００２】
ランダム・アクセス無線通信システムでは、アクセス端末とアクセス・ポイントとの間の通信リンクは連続的ではない。アクセス端末は、アクセス・ポイントに登録することが出来てそのままアイドル状態でいることが出来る。アクセス端末は、アイドル状態からアクティブ状態に移ってアクティブ通信リンクを開始することが出来る。アクティブ状態では、アクセス端末は、アクセス・ポイントへ情報を送信するのみならずアクセス・ポイントから情報を受信することも出来る。
【０００３】
大部分の時間、アクセス端末は、アイドル状態にあってアクティブ状態への移行を待機している。アクセス端末は、一般的には装置内部に格納された電池によって作動する移動体デバイスである。アクセス端末は、しばしばスリープ（sleep）状態と呼ばれる低電力状態に移行することによって、エネルギーを節約しそしてバッテリー稼働時間を延長することが出来る。しかしながら、多くの場合、アクセス端末は、スリープ状態からアクティブ状態に直ちに移行することはできない。
【０００４】
アクセス端末は、スリープ状態にある時には、アクセス・ポイントによって送信される情報をモニタする能力を一般的には持たない。それ故、アクセス端末は、一般的には周期的にアイドル状態に移行してアクセス・ポイントからのメッセージをモニタする。
【０００５】
ある無線通信システムは、ページング・メッセージの存在をアクセス端末に指示するためにアクセス・ポイントによって使用される高速ページング・チャネル（quick paging channel）を取り入れている。該ページング・メッセージは、アクティブな情報交換を支援するためにアクティブ状態への移行することを特定のアクセス端末に指示することが出来る。
【０００６】
該無線通信システムは、特定のメッセージ中の特定のビットを、特定のアクセス端末又はアクセス端末グループに対する高速ページング・ビットとして、割り当てることが出来る。その時、該アクセス端末は、該高速ページング・ビットを受信するのに十分な期間スリープ状態から目覚めることが出来る。もしアクセス端末がアクティブな高速ページング・ビットを検知するならば、該アクセス端末は、後続のページング・メッセージを認識するようになり、そして、該ページング・メッセージをモニタするためにアイドル状態を継続する又はアイドル状態に移行することが出来る。逆に、もしアクセス端末が自身の割り当てられた高速ページング・ビットを検知することがなければ、該アクセス端末は、自身に向けられた差し迫ったページング・メッセージはないと見做す。このようにして、アクセス端末は、アイドル・モードにいなければならない時間を最小にすることが出来て、それによってより低電力のスリープ状態に供せられることが出来る時間を最大にする。
【０００７】
例えば、ＣＤＭＡ２０００とＷＣＤＭＡ無線通信システムは、双方とも高速ページング・チャネルを有することによって、移動局が、ページング（無線呼出）の存在を検出するために、割り当てられた高速ページング・ビットを定期的にモニタすることを可能にしている。ページングが該移動局に送られると、基地局は、対応するビットを‘１’に設定する。もし該ビットが設定されると、該アクセス端末を表す、該移動局は、全ページングを聴く。しかしながら、もし該無線端末が該ビットは‘０’であると不適切に検知するならば、或いは、該受信ビットの状態を識別することが出来ないことを指示するイレイジュア（erasure）を判定するならば、その場合ページング失敗が生じる。それ故、ページング失敗の確率を低減する必要性がある。しかしながら、移動体デバイスに対する電池の電力供給稼働時間を維持する或いは増大させる必要性が依然としてある。
【発明の開示】
【簡単なサマリー】
【０００８】
ほぼ独立した複数の識別子と可変容量を有する高速ページング・メッセージを生成するシステムと方法が説明される。該システムは、アクセス端末を特定する高速ページング・メッセージを生成し、該アクセス端末に対するスケジュールされたページング・メッセージの存在を指示する。該システムは、スケジュールされたページング・メッセージを有するそれぞれのアクセス端末に対して高速ページング通知を生成し、そして、該高速ページング・メッセージで通知されるそれぞれのアクセス端末についての、圧縮されほぼ独立した識別子を生成する。該圧縮技術は、１つの高速ページング・メッセージで通知されるアクセス端末の個数のみならず該高速ページング・メッセージに割り当てられたビット数に基づいて、変わり得る。
【０００９】
本開示の態様は、無線通信システムにおいて高速ページ・メッセージを生成する方法を含む。該方法は、該高速ページ・メッセージで通知される少なくとも１つのアクセス端末に対して圧縮された識別子の値（以下、圧縮識別子値）を生成すること、該圧縮識別子を含む該高速ページング・メッセージをアセンブルすること、及び、該高速ページ・メッセージの少なくとも一部を含む無線信号を生成すること、を含む。
【００１０】
本開示の態様は、無線通信システムにおいて高速ページ・メッセージを生成する方法を含む。該方法は、少なくとも１つのページング・メッセージを受信するようにスケジュールされたアクセス端末の識別情報を決定すること、少なくとも１つのページング・メッセージを受信するようにスケジュールされたアクセス端末の個数を決定すること、少なくとも１つのページング・メッセージを受信するようにスケジュールされた該アクセス端末の少なくとも一部のそれぞれに対して圧縮識別子値を決定すること、及び、少なくとも１つのページング・メッセージを受信するようにスケジュールされた該アクセス端末の個数及び該圧縮識別子値に少なくとも一部は基づいて該高速ページ・メッセージをアセンブルすること、を含む。
【００１１】
本開示の態様は、無線通信システムにおいて高速ページ・メッセージを処理する方法を含む。該方法は、該高速ページ・メッセージを有する無線信号を受信すること、該無線信号から該高速ページ・メッセージを復元すること、該高速ページ・メッセージ中の圧縮識別子値の個数を決定すること、及び、該高速ページ・メッセージからのそれぞれの圧縮識別子値を事前に決定された圧縮識別子値と比較すること、を含む。
【００１２】
本開示の態様は、高速ページ・メッセージを生成するための装置を含み、該装置は、ページング・メッセージを受信するようにスケジュールされた複数の独立したアクセス端末の個数を決定するために構成されるページング・メッセージ計数器、該ページング・メッセージ計数器に接続されそして該複数の独立したアクセス端末の少なくとも部分集合に属するそれぞれに対する圧縮識別子を生成するために構成される圧縮識別子生成器、及び、該圧縮識別子生成器に接続されそして該複数の独立したアクセス端末の個数に基づいて該高速ページ・メッセージ中に計数フィールドを設定するために構成され、そして更に該複数の独立したアクセス端末の該部分集合のそれぞれに対応する該圧縮識別子を連結するために構成されるメッセージ・アセンブラを含む。
【００１３】
本開示の態様は、高速ページ・メッセージを処理するための装置を含み、該装置は、該高速ページ・メッセージを有する無線信号を受信するために構成される受信機、該受信機に接続され、そして該無線信号から該高速ページ・メッセージを抽出するために構成される受信プロセッサ、事前に決定された圧縮識別子を生成するために構成される圧縮値モジュール、及び該高速ページ・メッセージから少なくとも１つの圧縮識別子を抽出するために、そして、システムがスケジュールされたページング・メッセージを通知されているかどうかを判断する目的で、該抽出された少なくとも１つの圧縮識別子を該事前に決定された圧縮識別子と比較するために、構成される比較器、を含む。
【００１４】
本開示の態様は、高速ページ・メッセージを生成するための装置を含み、該装置は、該高速ページ・メッセージで通知される少なくとも１つのアクセス端末に対して圧縮識別子値を生成するための手段、該圧縮識別子を含む該高速ページング・メッセージをアセンブルするための手段、及び、該高速ページ・メッセージの少なくとも一部を含む無線信号を送信するための手段、を含む。
【００１５】
本開示の態様は、高速ページ・メッセージを処理するための装置を含み、該装置は、該高速ページ・メッセージを有する無線信号を受信するための手段、該無線信号から該高速ページ・メッセージを復元するための手段、該高速ページ・メッセージ中の圧縮識別子値の個数を決定するための手段、及び、該高速ページ・メッセージからの各圧縮識別子値を事前に決定された圧縮識別子値と比較するための手段、を含む。
【００１６】
本開示の態様は、１又は複数のプロセッサによって利用されることが出来る命令を含むプロセッサ可読媒体を含む。該命令は、高速ページ・メッセージで通知される少なくとも１つのアクセス端末に対する圧縮識別子値を生成するための命令、該圧縮識別子を含む該高速ページング・メッセージをアセンブルするための命令、及び、該高速ページ・メッセージの少なくとも一部を含む信号を生成するため、そして該信号を無線送信機に接続するための命令、を含む。
【００１７】
本開示の態様は、１又は複数のプロセッサによって利用されることが出来る命令を含むプロセッサ可読媒体を含む。該命令は、高速ページ・メッセージを有する信号を受信するための命令、該信号から該高速ページ・メッセージを復元するための命令、該高速ページ・メッセージ中の圧縮識別子値の個数を決定するための命令、及び、該高速ページ・メッセージからの各圧縮識別子値を事前に決定された圧縮識別子値と比較するための命令、を含む。
【００１８】
［詳細な説明］
本開示の実施形態の特徴、目的及び利点は、図面を使用して下記に記載される、詳細な説明から更に明らかになる。図面では、同じ要素は同じ参照符号を与える。
【００１９】
無線通信システムは、ビット数の戦略的計画と実装及び高速（quick）ページング・メッセージで供給される情報の配置を介して平均的なアクセス端末の電力消費を低下させつつ、ページング失敗確率を低減することが出来る。本無線通信システムは、ページング・メッセージを通知されるそれぞれのアクセス端末を特定する高速ページング・メッセージ中のビット数を増大させることが出来る。
【００２０】
該無線通信システムは、独立したアクセス端末識別子、或いは、該独立した識別子の圧縮された版を介してアクセス端末を識別することが出来る。もし該無線通信システムが高速ページング・チャネルにおいて完全に独立した識別子を利用するならば、望まれるアクセス端末とは異なるアクセス端末が該ページング・メッセージをモニタするためにアクティブなままでいる確率は減少する。しかしながら、ある特定の高速ページング・メッセージの期間中通知される全ての独立した識別子を含むことが求められる高速ページング・メッセージの長さは、比較的長くなる可能性があり、そして、該高速ページング・メッセージをモニタする全てのアクセス端末は、該高速ページング・メッセージの内容をモニタするために必要とされる期間の間アクティブ状態である必要がある。このような状態では、アクセス端末が他のアクセス端末に宛てられたページング・メッセージに対してはモニタしないことによって節約する平均消費電力は、長々しい高速ページング・メッセージをモニタすることで消費されることがあり得る。
【００２１】
１つの実施形態では、無線通信システムは、高速ページング・メッセージの内容物のために独立したアクセス端末識別子の圧縮版を生成する。ページング・メッセージに対してスケジュールされたアクセス端末に対応する該圧縮された識別子（圧縮識別子）は、該高速ページング・メッセージ中に含まれる。該高速ページング・メッセージは、高速ページ・メッセージの個数を特定するフィールドを含むことが出来る。
【００２２】
無線通信システムは、不変な圧縮識別子長さを持ち、且つ高速ページ・メッセージの個数に従って変化する高速ページ・メッセージ長さを持つ高速ページング・メッセージを生成することが出来る。それに代わって、無線通信システムは、可変圧縮識別子長さ有し、且つ不変な高速ページ・メッセージ長さを有する高速ページ・メッセージを生成することが出来る。双方の実施形態において、無線通信システムは、該高速ページ・メッセージを配置する（populate）ことが出来る最大個数の高速ページ・メッセージを有することが出来る。無線通信システムは、該高速ページング・メッセージをモニタするアクセス端末に該高速ページング・メッセージ中に配置されることが出来る限界を超えた高速ページがあることを通知するために追加のページングを識別するフィールドを実装することが出来る。
【００２３】
図１は、多元接続無線通信システム１００の一実施形態の簡略化された機能ブロック図である。多元接続無線通信システム１００は、複数のセル、例えばセル１０２、１０４、及び１０６を含む。図１の実施形態では、それぞれのセル１０２、１０４、及び１０６は、複数のセクタを含むアクセス・ポイント１５０を含むことが出来る。
【００２４】
複数のセクタは、複数のアンテナ・グループによって形成され、各アンテナは、該セルのある一部分の中にある複数のアクセス端末と接続する責任を有する。セル１０２では、アンテナ・グループ１１２、１１４、及び１１６は、それぞれ異なるセクタに対応する。例えば、セル１０２は、３セクタ、１２０ａ−１０２ｃ、に分割される。第１のアンテナ１１２は、第１のセクタ１０２ａを取り扱い、第２のアンテナ１１４は、第２のセクタ１０２ｂを取り扱い、第３のアンテナ１１６は、第３のセクタ１０２ｃを取り扱う。セル１０４では、アンテナ・グループ１１８、１２０、及び１２２は、それぞれ異なるセクタに対応する。セル１０６では、アンテナ・グループ１２４、１２６、及び１２８は、それぞれ異なるセクタに対応する。
【００２５】
それぞれのセルは、数個のアクセス端末をサポートする若しくはサービスするために構成され、該端末は、対応するアクセス・ポイントの１又は複数のセクタと交信する。例えば、アクセス端末１３０と１３２は、アクセス・ポイント１４２と交信し、アクセス端末１３４と１３６は、アクセス・ポイント１４４と交信し、アクセス端末１３８と１４０は、アクセス・ポイント１４６と交信する。それぞれのアクセス・ポイント１４２、１４４、及び１４６は、２つのアクセス端末と交信するように示されているが、それぞれのアクセス・ポイント１４２、１４４、及び１４６は、２つのアクセス端末と通信することには限定されず、物理的限界であり得るある限界まで、又は通信標準によって課される限界まで、任意の個数のアクセス端末をサポートすることが出来る。
【００２６】
本明細書で使用されるように、アクセス・ポイントは、複数のアクセス端末と通信するために使用される固定局であることが出来る、そして、基地局、ノードＢ、或いは何か他の用語で呼ばれることもあって、それ等の機能性のある部分又は全てを含むことが出来る。アクセス端末（access terminal）（ＡＴ）は、利用者設備（user equipment）（ＵＥ）、利用者端末、無線通信デバイス、端末、移動端末、移動局、或いは何か他の用語で呼ばれることもあって、それ等の機能性のある部分又は全てを含むことが出来る。
【００２７】
それぞれのアクセス・ポイント、例えば１４２、は、ページング・メッセージを受信するようにスケジュールされた交信範囲内の複数のアクセス端末の識別番号に基づいて１つの高速ページング・メッセージを生成する。アクセス・ポイント１４２は、それぞれのスケジュールされたアクセス端末に対して圧縮識別子を生成することが出来る。例えば、アクセス・ポイント１４２は該アクセス端末識別子のハッシュ値を生成することが出来て、該高速ページング・メッセージに該ハッシュ値を配置することが出来る。
【００２８】
アクセス・ポイント、例えば１４２、は、高速ページング・メッセージを有するフレーム或いはブロックを同報通信することが出来る。アクセス・ポイント１４２の交信範囲内のそれぞれのアクセス端末１３０と１３２は、該高速ページング・メッセージを受信しそれを処理して該アクセス端末に宛てられたページング・メッセージの存在を示す関連の高速ページング・インジケータがアサートされているかどうかを判定することが出来る。
【００２９】
上述の諸実施形態は、図２に示されるように、送信（transmit）（ＴＸ）プロセッサ２２０又は２６０、プロセッサ２３０又は２７０、及びメモリ２３２又は２７２を利用して与えられることが出来る。該諸プロセスは、任意のプロセッサ、制御器、或いは他の処理デバイス上で実行されることが出来て、ソース・コード、オブジェクト・コード、又はその他のような、コンピュータ可読媒体中のコンピュータ可読命令として記憶されることが出来る。
【００３０】
図２は、多元接続無線通信システムにおける送信機と受信機の一実施形態２００の簡略化された機能ブロック図である。送信機システム２１０では、多数のデータ・ストリームに対するトラヒック・データがデータ源２１２から送信（ＴＸ）データ・プロセッサ２１４に供給される。一実施形態では、それぞれのデータ・ストリームは、それぞれの送信アンテナを介して送信される。送信データ・プロセッサ２１４は、それぞれのデータ・ストリームに対するトラヒック・データを、符号データを供給するために該データ・ストリームに対して選択された特定の符号化方式に基づいて、フォーマットし、符号化し、そしてインターリーブする。ある実施形態では、送信データ・プロセッサ２１４は、該データ・ストリームのシンボルに対し、該シンボルが送信されている宛先利用者と該シンボルが送信されているアンテナに基づいて、ビームフォーミング重みを適用する。ある実施形態では、該ビームフォーミング重みは、該アクセス・ポイントとアクセス端末との間の伝送路の状態を示すチャネル応答情報に基づいて生成されることが出来る。チャネル応答情報は、利用者によって供給されるＣＱＩ情報又はチャネル推定値を利用して生成されることが出来る。更に、スケジュールされた送信の場合には、送信データ・プロセッサ２１４は、利用者から送信されるランク情報に基づいてパケット・フォーマットを選択することが出来る。
【００３１】
それぞれのデータ・ストリームに対する符号データは、ＯＦＤＭ技術を使用してパイロット・データと多重化されることが出来る。パイロット・データは、一般的には公知の方法で処理される公知のデータ・パターンであってチャネル応答を推定するために受信機システムで使用されることが出来る。それぞれのデータ・ストリームに対する多重化されたパイロット及び符号データは、次に、変調シンボルを供給するために該データ・ストリームに対して選択された特定の変調方式（例えば、ＢＰＳＫ、ＱＰＳＫ、Ｍ−ＰＳＫ或いはＭ−ＱＡＭ）に基づいて、変調される（即ち、シンボル・マッピングされる）。それぞれのデータ・ストリームに対するデータ・レート、符号化、及び変調は、プロセッサ２３０によって供給される命令によって決定されることが出来る。ある実施形態では、並行する空間ストリームの数は、利用者から送信されるランク情報に従って変えられることが出来る。
【００３２】
次に全てのデータ・ストリームに対する変調シンボルが送信ＭＩＭＯプロセッサ２２０に供給され、該プロセッサは、該変調シンボルを（例えば、ＯＦＤＭに対して）更に処理することが出来る。送信ＭＩＭＯプロセッサ２２０は、次にＮＴ個のシンボル・ストリームをＮＴ個の送信機（transmitter）（ＴＭＴＲ）２２２ａから２２２ｔに供給する。ある種の実施形態では、送信ＭＩＭＯプロセッサ２２０は、該データ・ストリームのシンボルに対し、該シンボルが送信されている宛先利用者と該シンボルが送信されているアンテナに基づいて、該利用者のチャネル応答情報によってビームフォーミング重みを適用する。
【００３３】
それぞれの送信機２２２ａから２２２ｔは、それぞれのシンボル・ストリームを受信して処理し１又は複数のアナログ信号を供給する、そして更に該アナログ信号を調整して（例えば、増幅し、フィルタ処理し、そしてアップコンバートして）ＭＩＭＯチャネルを介する伝送にとって適切な変調信号を供給する。送信機２２２ａから２２２ｔからのＮＴ個の変調信号は、次にそれぞれＮＴ個のアンテナ２２４ａから２２４ｔから送信される。
【００３４】
受信機システム２５０では、該送信された変調信号は、ＮＲ個のアンテナ２５２ａから２５２ｒによって受信され、そしてそれぞれのアンテナ２５２からの受信信号は、それぞれの受信機（receiver）（ＲＣＶＲ）２５４に供給される。それぞれの受信機２５４は、それぞれの受信信号を調整し（例えば、フィルタ処理し、増幅し、そしてダウンコンバートして）、該調整された信号をデジタル化してサンプルを供給する、そして該サンプルを更に処理して対応する“受信”シンボル・ストリームを供給する。
【００３５】
次に受信データ・プロセッサ２６０は、ＮＲ個の受信機２５４からのＮＲ個の受信シンボル・ストリームを受け取り、ランク数の“検出された”シンボル・ストリームを供給するための特別な受信機処理技術に基づいて処理する。受信データ・プロセッサ２６０による処理は、下記でさらに詳細に説明される。それぞれの検出されたシンボル・ストリームは、対応するデータ・ストリームに対して送信された変調シンボルの推定値であるシンボルを含む。次に受信データ・プロセッサ２６０は、それぞれの検出されたシンボル・ストリームを復調し、デインターリーブしそして復号し、該データ・ストリームに対するトラヒック・データを復元する。受信データ・プロセッサ２６０による処理は、送信機システム２１０における送信ＭＩＭＯプロセッサ２２０及び送信データ・プロセッサ２１４によって遂行される処理に相補的である。
【００３６】
送信機システム２１０では、受信機システム２５０からの変調信号がアンテナ２２４によって受信され、受信機２２２によって調整され、復調器２４０によって復調され、そして受信データ・プロセッサ２４２によって処理されて、受信システムによって通報されたＣＱＩを復元する。該通報されたＣＱＩは、次にプロセッサ２３０に供給されて、（１）該データ・ストリームのために使用されたデータ・レート及び符号化方式と変調方式とを決定するために、及び（２）送信データ・プロセッサ２１４と送信ＭＩＭＯプロセッサ２２０に対する種々の制御を生成するために、使用される。
【００３７】
図２の多元接続無線通信システム２００では、送信データ・プロセッサ２１４は、プロセッサ２３０とメモリ２３２と連結して、交信範囲内の受信機システム２５０に対応するスケジュールされたページング・メッセージの個数を決定するために動作することが出来る。送信データ・プロセッサ２１４は、それぞれのスケジュールされた受信機システム２５０に対する独立したアクセス端末識別子に基づいてハッシュ値を生成するために構成されることが出来る。送信データ・プロセッサ２１４は、高速ページング・メッセージ、これは該高速ページング・メッセージで特定される受信機システム２５０の個数を含む、及びそれぞれのスケジュールされた受信機システムに対応するハッシュ値を生成することが出来る。
【００３８】
それぞれの受信機システム２５０は、該高速ページング・メッセージを受信するために動作して対応するハッシュ値を復元するために動作することが出来る。受信プロセッサ２６０は、プロセッサ２７０とメモリ２７２との組み合わせで、該高速ページング・メッセージ中の何れかのハッシュ値が該受信機システム２５０を特定するかどうかを判定することが出来る。該受信機システム２５０は、自身が該ハッシュ値によって特定される場合に、ページング・メッセージをモニタすることが出来る。あるいは、該受信機システム２５０は、もし自身のハッシュ値が高速ページ・メッセージ中に含まれてない場合に、スリープ状態に移行することが出来て、次のスケジュールされた高速ページ・メッセージを待つことが出来る。
【００３９】
図３は、ページ・メッセージを生成して送信するためのシステム３００の一実施形態の簡略化された機能ブロック図である。システム３００は、例えば、図２の送信機システムの一部、或いは、図１で示されるアクセス・ポイントの一部であることが出来る。
【００４０】
図３の簡略化された機能ブロック図は、高速ページング・メッセージを生成して送信することに関連付けられるシステムの一部分のみを図説する。該簡略化された機能ブロック図は、該高速ページング・メッセージで特定されるアクセス端末と関連付けられるページング・メッセージを生成すること又はマッピングすることに関連付けられることに関係するブロックを示さない、そして、アクセス端末に通信されることが出来るデータ、情報或いは他のトラヒックのスケジューリング、処理及び送信を示さない。
【００４１】
図３のシステム３００の実施形態は、スケジューラ３０４に接続されるタイミング及び同期モジュール３０２を含む。スケジューラ３０４は、高速ページ・メッセージ生成器３１０に接続されて、高速ページ・メッセージの生成を開始する。高速ページ・メッセージ生成器３１０は、オプションで該高速ページ・メッセージを符号器３２０に接続する。符号器３２０は、該高速ページ・メッセージのビットを符号化するために動作して符号化高速ページ・メッセージを供給する。該符号化された出力は、送信ＭＩＭＯプロセッサ３３０に接続される。送信ＭＩＭＯプロセッサ３３０は、アンテナ３３４を使用して該信号を送信する送信機ステージ３４０に該信号を接続する。
【００４２】
タイミング及び同期モジュール３０２は、システム３００によって受信されそして生成されたビット、フレーム、ブロック或いはパケットのタイミングを追跡する。１つの実施形態では、タイミング及び同期モジュール３０２は、システム３００によって生成される諸ビットが実質的に同一期間を有するように、ビット同期を保持する。タイミング及び同期モジュール３０２は、スロット・タイミング及びフレーム・タイミングを同期させそして追跡することも出来る、ここに、それぞれのフレームは、事前に決定されたビット数を含む。ＯＦＤＭシステムでは、１スロットは、１又は複数のＯＦＤＭシンボルを含むことが出来て、１フレームは、１又は複数のスロットを含むことが出来る。
【００４３】
１スーパーフレームは、事前に設定された個数のフレームを含むことが出来る。それに加えて、該スーパーフレーム内の特定のフレームは、特定の情報に占有されることが出来る。例えば、それぞれのスーパーフレームは、例えば６フレーム或いは６ＯＦＤＭシンボルのような、事前に設定された長さのプリアンブルを含むことが出来る。
【００４４】
スーパーフレームのプリアンブルは、アクセス・ポイントの交信範囲内の全てのアクセス端末に送信される同報通信チャネルを配置するために使用されることが出来る。スーパーフレーム・プリアンブルの１つの部分は、高速ページ・メッセージを運ぶために使用される高速ページング・チャネル（quick paging channel）（ＱＰＣＨ）に割り当てられることが出来る。例えば、高速ページ・メッセージは、スーパーフレーム・プリアンブル内の１フレーム或いは１ＯＦＤＭシンボルであることが出来る。スーパーフレーム・プリアンブルの長さは、不変であることが出来る、或いは、高速ページ・メッセージに割り当てられる情報ブロックの大きさに基づいて変えられることが出来る。
【００４５】
１つの実施形態では、高速ページ・メッセージに割り当てられるビット数は、不変である。別の実施形態では、高速ページ・メッセージに割り当てられるビット数は、絶えず変化し、そして該高速ページ・メッセージで通知される必要があるアクセス端末の個数に少なくとも部分的に基づいて決定される。高速ページ・メッセージに割り当てられるビット数が絶えず変化する場合、システム３００は、パケット長の事前に設定された集合の内から１つを選択することによってビット数を割り当てることが出来る。それに代わって、システム３００は、事前に設定された範囲内で、或いは、単ビットずつ増大させて、該高速ページ・メッセージに任意のビット数を割り当てるように構成されることが出来る。
【００４６】
システム３００は、高速ページ・メッセージの大きさを、該メッセージ又は何か他のメッセージのフィールド内で、送るために構成されることが出来る。一実施形態では、システム３００は、高速ページ・メッセージの大きさを送らずに、受信機がパケットの大きさを決定することを頼りにする。
【００４７】
タイミング及び同期モジュール３０２は、スケジューラ３０４に接続される。スケジューラ３０４は、通信リンクとシステム３００によって送信されるべき情報を追跡して、該システム・タイミングに一部は基づいて、該情報をスケジュールする。１つの実施形態では、スケジューラ３０４は、無線通信システムが現在アイドル状態にあるアクセス端末とのアクティブな通信セッションを立ち上げようと試みていることを判断する。
【００４８】
高速ページ・メッセージ生成器３１０は、システム３００の交信範囲内のどのアクセス端末がページ・メッセージを受信するようにスケジュールされているかをスケジューラ３０４によって判定する。高速ページ・メッセージ生成器３１０は、ページング・メッセージ計数器３１２、アクセス端末識別ハッシュ生成器３１４、及びメッセージ・アセンブラ３１６を含む。
【００４９】
ページング・メッセージ計数器３１２は、スケジューラ３０４に基づいて、現在のスーパーフレーム又は他の高速ページの期間中に送信されるようにスケジュールされたアクセス端末ページング・メッセージの個数を決定する。ページング・メッセージ計数器３１２は、ページング・メッセージ受信するようにスケジュールされた互いに異なるアクセス端末の個数を決定する。この個数は、種々の理由のために高速ページ・メッセージ生成器３１０で使用されることが出来る。
【００５０】
高速ページ・メッセージの長さが可変である一実施形態では、該高速ページ・メッセージで通知されるアクセス端末の個数は、該高速ページ・メッセージの長さを示すことが出来て、該個数は、該高速ページ・メッセージのフィールド内に含まれることが出来る。高速ページ・メッセージの長さが不変である一実施形態では、アクセス端末を特定するために該高速ページ・メッセージ中で使用されるビット数は、該高速ページ・メッセージで通知されるアクセス端末の個数に基づいて変わることが出来る。該高速ページ・メッセージで通知されるアクセス端末の個数は、該高速ページ・メッセージのフィールドの中に含まれることが出来て該アクセス端末に該アクセス端末が特定される方式を通報する。
【００５１】
アクセス端末識別子ハッシュ（Access Terminal Identifier Hash）（ＡＴＩＨ）生成器３１４は、アクセス端末識別子の圧縮された版を生成するために構成される。下記の実施形態は、圧縮関数をハッシュ関数として説明するけれども、ＡＴＩＨ生成器３１４は、事実上任意の型の圧縮識別子生成器であることが出来て、より少ないビットをもたらす任意のマッピング又はアルゴリズムを用いてＡＴＩ値又は何か他のアクセス端末識別子を圧縮することが出来る。
【００５２】
それぞれのアクセス端末は、アクセス端末識別子（access terminal identifier）（ＡＴＩ）と呼ばれる独自の識別子を有する。もし該アクセス端末のＡＴＩが該ページ・メッセージで運ばれるならば、該アクセス端末は、ネットワークが送るべきデータを有することを知る。
【００５３】
ＡＴＩＨ生成器３１４は、ＡＴＩＨ（例えば、ATIH＝HashFunction(ATI)）と呼ばれる、ＡＴＩのＮビット・ハッシュを決定するために構成される。ある実施形態では、ＡＴＩは４８から１２８ビット長であって、他方Ｎは８ビットである。ＡＴＩのＡＴＩＨへのマッピングは、一通りではない、その理由は、ＡＴＩＨ生成器３１４はＡＴＩをより少ないビットを有する表示へ圧縮することが出来るからである。ＡＴＩ上で実行される圧縮の量は、圧縮率とも呼ばれ、同一ＡＴＩＨにマッピングする可能性を有するアクセス端末のＡＴＩ値の個数に影響する。
【００５４】
ＡＴＩＨ生成器３１４は、１又は複数のＡＴＩＨ値を確保することが出来てその結果どのＡＴＩ値も該予備ＡＴＩＨ値にマッピングしない。例えば、ＡＴＩＨ生成器３１４は、何れのアクセス端末も通知されるべきではない状態を示すためにＡＴＩＨ値０を確保することが出来る。ＡＴＩＨ生成器３１４は、ＡＴＩＨ値０を確保することによって、アクセス端末のＡＴＩ値が不注意で０にマッピングすることはないことを保証されることが出来る。
【００５５】
もし該アクセス端末のＡＴＩＨが該高速ページ・メッセージで運ばれるならば、該アクセス端末は、ネットワークが送るべきページングを有している可能性があると判断する、そして該アクセス端末は、自身に宛てられたページングのためのページ・メッセージをモニタする。対照的に、もし該ＡＴＩＨが該高速ページ・メッセージで運ばれないならば、該アクセス端末は、該ページ・メッセージを読まないことによって電力を節約することが出来る、そして、代わりに低電力スリープ状態に移行できる。
【００５６】
ＡＴＩのＡＴＩＨへの非一意マッピングは、高速ページ衝突を引き起こすことがあり得る、その場合、２つの異なるアクセス端末が同一ＡＴＩＨを有する。このような状況では、高速ページ・メッセージ中に含まれる該非一意ＡＴＩＨは、該ＡＴＩＨ値を有する複数のアクセス端末の内の１つに対する１つのページ・メッセージがあるに過ぎないにも拘らず、１より多いアクセス端末に該ページ・メッセージをモニタさせる。例えば、もしＡＴＩＨ生成器３１４が２つの互いに異なるアクセス端末、ＡＴ１及びＡＴ２、のために同一ＡＴＩＨを生成して、このＡＴＩＨが該高速ページ・メッセージで運ばれるならば、ＡＴ１及びＡＴ２は、双方とも該ページ・メッセージをモニタする。しかしながら、実際のページ・メッセージは、ＡＴ１に対するページングのみを含みＡＴ２に対するページングは含まないことがあり得る。
【００５７】
高速ページ・メッセージの長さが可変である一実施形態では、ＡＴＩＨ生成器３１４は、事前に決定されたアルゴリズムに従ってＡＴＩＨ値を生成する。ＡＴＩＨ生成器３１４は、該高速ページ・メッセージで通知されるべき各アクセス端末のためのＡＴＩに対応するＡＴＩＨを生成する。高速ページ・メッセージ長には実用的な限界があり得る。従って、システム３００は、高速ページ・メッセージ中で明白に特定されることが出来るアクセス端末の最大個数を定義することが出来る。
【００５８】
高速ページ・メッセージの長さが不変である一実施形態では、ＡＴＩＨ生成器３１４は、該高速ページ・メッセージで通知されるべきアクセス端末の個数に一部は基づいてＡＴＩＨ値を生成する。ＡＴＩＨ生成器３１４は、ＡＴＩ値の可変圧縮を実行する、そして、該圧縮率は、高速ページ・メッセージで通知されるアクセス端末の少なくともその個数に従って変化する。高速ページ・メッセージで通知されるアクセス端末がより少ないならば、ＡＴＩＨ生成器は、高速ページ衝突の確率を減らすためにより低い圧縮率を使用することが有利であり得る。ある場合には、ＡＴＩＨ生成器３１４は、ＡＴＩ値を圧縮する必要すらない、そして、ＡＴＩとＡＴＩＨは、同一値であることが出来る。高速ページ・メッセージで通知されるべきアクセス端末の個数が増えるに従って、ＡＴＩＨ生成器３１４は、アクセス端末を特定するために使用される該高速ページ・メッセージ中の全ビット数がほぼ同一になるように、圧縮率を増やすことが出来る。
【００５９】
例えば、システム３００は、高速ページ・メッセージに対し固定ビット数ＮＱＰ＿ＢＬＫを割り当てることが出来る。更に、ＡＴＩＨ値に占有される高速ページ・メッセージ中の特定フィールドは、最大長、例えば、３５ビットを有することが出来る。もし、唯１つのアクセス端末のみが該高速ページ・メッセージで通知される必要があると、ページング・メッセージ計数器３１２が判定するならば、ＡＴＩＨ生成器３１４は、３５ビット以下を有するＡＴＩＨを生成できる。もし、２つのアクセス端末が通知されるべきであると、ページング・メッセージ計数器３１２が判定するならば、該ＡＴＩＨ生成器は、それぞれ１７ビット以下を有するＡＴＩＨ値を生成するように構成されることが出来る。同様に、該高速ページ・メッセージで３つのアクセス端末に通知するために、ＡＴＩＨ生成器３１４は、それぞれ１１ビット以下を有するＡＴＩＨ値を生成する。ＡＴＩＨ生成器３１４によって適用される圧縮率には実用的限界があり得る。従って、システム３００は、高速ページ・メッセージ中で明白に識別されることが出来るアクセス端末の最大個数を設定することが出来る。
【００６０】
上述で注意されたように、高速ページ・メッセージが不変長を有するか絶えず変化する長さを有するかに関係なく、システム３００は、高速ページ・メッセージ中で明白に識別されることが出来るアクセス端末の最大個数を定義することが出来る。即ち、高速ページ・メッセージは、限定された容量、例えばＱビット、を有する高速ページング・チャネルを介して送られることが出来る。ページング・メッセージ計数器３１２が、通知されるべきアクセス端末の個数が明白に通知されることが出来る最大個数を超えると判定する場合があり得る。このような場合、高速ページ・メッセージは、該高速ページ・メッセージ中に含まれることが出来る限界を超える高速ページ通知があることを識別するフィールドを含むことが出来る。このようなフィールドは、‘モア（more）’フィールド又は‘追加識別子’フィールドと呼ばれることがある。
【００６１】
‘モア’フィールドは、１又は複数のビットであることが出来て、それ等は、アサートされる場合、該高速ページ・メッセージで表現されることが出来るはずのものを超える高速ページングがあることを示す。このような状況では、明白には通知されないある複数のアクセス端末は、該ページング・メッセージに対するページング・チャネルをモニタすることを選択することが出来る。該ページング・チャネルをモニタする必要がある非特定アクセス端末の個数を最小化するために、該高速ページ・メッセージは、複数のＡＴＩＨ値最低値を配置されることが出来る。その場合、もし‘モア’フィールドがアサートされると、該高速ページ・メッセージ中に含まれる最大のＡＴＩＨ値より大きなＡＴＩＨ値を有するアクセス端末のみが該ページング・メッセージに対するページング・チャネルをモニタする必要がある。
【００６２】
ＡＴＩＨ生成器３１４は、最大個数以下のＡＴＩＨ値を生成するように構成されることが出来る。１つの実施形態では、ＡＴＩＨ生成器３１４は、最低ＡＴＩＨ値を有するアクセス端末に対してＡＴＩＨ値を生成する。別の実施形態では、ＡＴＩＨ生成器は、ページング・メッセージに対してスケジュールされた全てのアクセス端末に対してＡＴＩＨ値を生成する、そして、別のモジュールが複数の該ＡＴＩＨ値の内何れに高速ページ・メッセージを配置すべきかを決定する。
【００６３】
メッセージ・アセンブラ３１６は、ページング・メッセージ計数器３１２によって決定された個数に基づいて高速ページ・メッセージをアセンブルするために動作する。メッセージ・アセンブラ３１６は、アクセス端末の個数を特定するフィールドを配置する。もしアクセス端末の個数が事前に決定された最大個数より大きければ、メッセージ・アセンブラ３１６は、該最大個数に対応する値を使用する。
【００６４】
メッセージ・アセンブラ３１６は、しかもアクセス端末を特定する高速ページ・メッセージ中にＡＴＩＨフィールドを配置する。もし該高速ページ・メッセージで通知されるべきアクセス端末の個数が、０を含め、該最大個数以下であるならば、メッセージ・アセンブラ３１６は、該（複数の）アクセス端末に対応する該ＡＴＩＨ値を連結する。メッセージ・アセンブラ３１６は、単ビットであることが出来る‘モア’フィールドを消去する。
【００６５】
もし該高速ページ・メッセージで通知されるべきアクセス端末の個数が該最大個数より大であるならば、メッセージ・アセンブラ３１６は、複数の最低のＡＴＩＨ値から選択される最大個数のＡＴＩＨ値を連結する。メッセージ・アセンブラ３１６は、ＡＴＩＨ値を層別することが出来て、ＡＴＩＨ値を増加させる順に該高速ページ・メッセージを配置することが出来る。メッセージ・アセンブラ３１６は、‘モア’フィールドをアサートする。
【００６６】
メッセージ・アセンブラ３１６は、所望のメッセージ長を得るために高速ページ・メッセージを０パディングする若しくは、別なやり方で配置することが出来る。ＡＴＩＨ生成器３１４が高速ページ・メッセージで通知されるアクセス端末の個数に従って異なるＡＴＩＨ値を生成する場合、メッセージ・アセンブラ３１６は、一貫した高速ページ・メッセージ長を供給するために該高速ページ・メッセージに０をパディングすることが出来る。
【００６７】
符号器３２０は、オプションであって、あるシステム３００からは省かれることが出来る。符号器３２０は、高速ページ・メッセージを符号化するために動作する。符号器３２０は、実質的に任意の型の符号化を実行することが出来て、例えば、システマティック符号化、ブロック符号化、畳み込み符号化、ターボ符号化、及び同種のもの、或いはそれ等の組合せ、を実行することが出来る。符号器３２０の出力は、符号化された高速ページ・メッセージである。
【００６８】
１つの実施形態では、符号器３２０は、システマティック符号化を実行し、その結果、変形されていない高速ページ・メッセージの終端に冗長ビットが付加される。システマティック符号化は、例えば、巡回冗長コード（Cyclic Redundancy Code）（ＣＲＣ）、シンドローム、パリティ・ビット、或いは冗長のレベルを供給できる何か他のコード・ビット、を生成することが出来る。
【００６９】
符号器３２０は、符号化された高速ページ・メッセージを送信ＭＩＭＯプロセッサ３３０に接続する。１つの実施形態では、送信ＭＩＭＯプロセッサ３３０は、符号化された高速ページ・メッセージを処理し、そして、完全な符号化高速ページ・メッセージを有するＯＦＤＭシンボルを供給する。送信ＭＩＭＯプロセッサ３３０は、全てのＯＦＤＭサブキャリアの全体にわたり、或いは全てのＯＦＤＭサブキャリアの事前に決定された部分集合の全体にわたり、高速ページ・メッセージ情報を割り当てることによってＯＦＤＭシンボルを生成することが出来る。例えば、送信ＭＩＭＯプロセッサ３３０は、高速ページ・メッセージを情報搬送に割り当てられる全てのサブキャリア上に変調することが出来る。このような実施形態では、高速ページ・メッセージを有するシンボルは、ＯＦＤＭシステムにおける他のチャネルと時分割多重化される。
【００７０】
ある実施形態では、送信ＭＩＭＯプロセッサ３３０は、変調型式の事前に決定された集合の任意の１つを使用して該サブキャリア上に高速ページ・メッセージを変調することが出来る。一実施形態では、送信ＭＩＭＯプロセッサ３３０は、ＱＰＣＨの全ての変調シンボルに対してＱＰＳＫ変調を用いる。他の実施形態では、送信ＭＩＭＯプロセッサ３３０は、ＢＰＳＫのような何か他の変調型式を用いることが出来る。
【００７１】
別の実施形態では、高速ページ・メッセージ情報は、ＯＦＤＭシステム中の全てのサブキャリアより少ないサブキャリアにマッピングされる論理チャネルに割り当てられる。このような実施形態では、論理チャネルから物理サブキャリアへのマッピングは、変わらないことが出来るし、或いは、絶えず変化することが出来る。
【００７２】
もし多元接続無線通信システムが周波数ホッピング（frequency hopping）（ＦＨ）を利用するならば、高速ページング・チャネル（ＱＰＣＨ）は、しばしばホップ・ポート（hop port）と呼ばれる、論理チャネルとして割り当てられることが出来て、該論理チャネルは、事前に決定された周波数ホッピング・アルゴリズムに従って物理チャネルにマッピングされることが出来る。このようにして、周波数ホッピングＯＦＤＭＡシステムでは、論理チャネルに割り当てられる物理サブキャリア周波数は、時間を追って切り替わる。例えば、周波数ホッピング・アルゴリズムは、例えば、ＯＦＤＭシンボル毎に、スロット毎に、或いは何か他の事前に決定されたＯＦＤＭシンボル数に従って、物理サブキャリア・マッピングに、周期的に論理チャネルを更新することが出来る。
【００７３】
送信ＭＩＭＯプロセッサ３３０は、ＯＦＤＭシンボルを送信機ステージ３４０に接続する。送信機ステージ３４０は、アンテナ３４４を使用して高速ページ・メッセージを含むシンボルを送信する。
【００７４】
上述で説明された実施形態では、送信機は、スーパーフレームのプリアンブル部分の期間に生じるＯＦＤＭシンボルにおいて高速ページ・メッセージを同報通信する。該送信機は、ＯＦＤＭシンボルを交信範囲内の全てのアクセス端末に同報通信する。
【００７５】
高速ページ・メッセージをプリアンブルで送信することによって、多数のアクセス端末が同時に宛先指定されることが出来る。単一ＯＦＤＭシンボルでの高速ページ・メッセージの伝送が数個のアクセス端末を並行して目覚めさせ、それぞれの対応するＡＴＩＨ値に対する高速ページ・メッセージをモニタさせることを可能にする。
【００７６】
図４は、ＱＰＣＨを介して受信された高速ページ・メッセージを処理するために構成された受信機４００の一実施形態の簡略化された機能ブロック図である。受信機４００は、図１の各アクセス端末の一部であることが出来て、図２の受信機システムの一部であることが出来る。図４の簡略化された機能ブロック図は、受信機４００の高速ページ・メッセージを処理することに関連付けられる部分のみを図説する。受信機４００は、一般的には他の処理モジュールを含む。
【００７７】
受信機４００は、高速ページ・メッセージを含むＯＦＤＭシンボルを受信して高速ページ・メッセージを復元する。もし該高速ページ・メッセージが符号化されているならば、受信機４００は、該高速ページング・ブロックと負荷制御ブロック中に内在するビットが首尾よく復元される確率を向上させるために、冗長符号情報を用いる。受信機４００は、該復元された高速ページ・メッセージ情報を用いて、後続のページング・チャネル・メッセージをモニタするために目覚めるか或いはアクティブなままでいるかどうかを判断する。
【００７８】
１つの実施形態では、もしＣＲＣが失敗すると、該アクセス端末は、デフォルト動作としてページング・チャネルをモニタする。もしＣＲＣが成功して対応するＡＴＩＨが設定されているならば、該アクセス端末は、ページング・チャネルをモニタするように指示される。もしＣＲＣが成功し、そして、ＡＴＩＨが存在せず且つ‘モア’ビットがアサートされてないならば、該アクセス端末は、スリープ状態に戻る。もしＣＲＣが成功し、そして、ＡＴＩＨが存在せず且つ‘モア’ビットがアサートされているならば、該アクセス端末は、自身のＡＴＩＨが該高速ページ・メッセージ中の最大のＡＴＩＨより大であるかどうかを判定する。もし肯ならば、該アクセス端末は、該ページング・メッセージをモニタする。もし否ならば、該アクセス端末は、スリープ状態に移行することが出来る。
【００７９】
受信機４００は、受信信号を受信機フロント・エンド４１０に接続するアンテナ４０２を含む。同期モジュール４２０は、受信機フロント・エンド４１０と連係して動作する。同期モジュール４２０は、受信信号に基づいて、シンボル・タイミングを決定し、そして、該シンボル・タイミングからフレーム・タイミング及びスーパーフレーム・タイミングを決定する。受信機フロント・エンド４１０は、同期化情報を利用してＯＦＤＭシンボル、及び特に、高速ページ・メッセージを持つＯＦＤＭシンボルを有するＯＦＤＭプリアンブル、を復元する。
【００８０】
受信機フロント・エンド４１０は、高速ページ・メッセージを有するＯＦＤＭシンボルを受信ＭＩＭＯデータ・プロセッサ４３０に接続する。受信ＭＩＭＯデータ・プロセッサ４３０は、高速ページ・メッセージが変調されて乗っているＯＦＤＭサブキャリアを復調するために動作して該高速ページ・メッセージを復元する。
【００８１】
受信ＭＩＭＯデータ・プロセッサ４３０は、該サブキャリアをそれらが変調されたのと相補的な方法で復調する。即ち、もし該サブキャリアがＱＰＳＫ変調されているならば、受信ＭＩＭＯデータ・プロセッサ４３０は、該サブキャリアのＱＰＳＫ復調を実行する。
【００８２】
高速ページ・メッセージは、情報源高速ページ・メッセージが符号化されているかどうかに従って、オプションで復号器４４０に結合される。復号器４４０は、送信機においてパケットが符号化された方法に相補的な方法で該高速ページ・メッセージを復号するために動作する。一般に、ＱＰＣＨ復号器４４０は、任意のインターリービング、符号化、スクランブリング、反復、及び同種のもの或いは該高速ページ・メッセージ生成の際に実行されたそれ等の組合せ、の相補的処理を含み、送信機において実行された処理の相補的処理を実行する。
【００８３】
復号器４４０の出力は、ハッシュ値比較器４５０に接続される。ハッシュ値比較器４５０は、該高速ページ・メッセージ内に含まれる種々のＡＴＩＨ値を構文解析してそれ等を受信機４００に対応するＡＴＩＨ値と比較するために構成される。１つの条件では、ハッシュ値比較器４５０が該高速ページ・メッセージ内にＡＴＩＨ値がないと判定する場合、ハッシュ値比較器４５０は、全く比較を行う必要がない、そして、受信機４００は、電力を節約するためにスリープ状態に移ることが出来る。
【００８４】
ハッシュ値比較器４５０は、該高速ページ・メッセージ内に含まれるＡＴＩＨ値の個数を識別する、該高速ページ・メッセージのフィールドを検査することが出来る。ハッシュ値比較器４５０は、該個数から、該高速ページ・メッセージの実施形態に従って、該高速ページ・メッセージの長さ或いは該高速ページ・メッセージで使用されるＡＴＩＨ値のフォーマットを決定することが出来る。可変長高速ページ・メッセージの実施形態では、ＡＴＩＨフォーマットは同一のままであるが、該メッセージの長さは高速ページングの個数に基づいて変化することを想起しよう。不変長高速ページ・メッセージの実施形態では、メッセージの長さは一定のままであるが、ＡＴＩＨフォーマットは高速ページングの個数に基づいて変化する。
【００８５】
ハッシュ値比較器４５０は、高速ページングの該個数に対応する値、ＮｕｍＰａｇｅｓ、をＡＴＩＨモジュール４６０に接続することが出来る。
【００８６】
ＡＴＩＨモジュール４６０は、該高速ページ・メッセージに含まれるＡＴＩＨ値のフォーマットと一致するフォーマットで、受信機４００に対応するＡＴＩＨを生成するために構成される。
【００８７】
１つの実施形態では、ＡＴＩＨモジュール４６０は、ＮｕｍＰａｇｅｓ値を受信してアルゴリズムを用い適切なフォーマットでＡＴＩＨを生成する。ＡＴＩＨモジュール４６０は、受信機４００のＡＴＩを記憶することが出来て、そして適切なフォーマットでＡＴＩＨを生成するためにアルゴリズムを用いて該ＡＴＩ上で動作することが出来る。
【００８８】
別の実施形態では、ＡＴＩＨモジュール４６０は、異なる様々なＡＴＩＨフォーマットを記憶する参照表４６２を含む。ＡＴＩＨモジュール４６０は、ＮｕｍＰａｇｅｓの値に基づいて参照表４６２から適切なＡＴＩＨフォーマットを検索する。
【００８９】
ハッシュ値比較器４５０は、高速ページ・メッセージから‘モア’フィールドを抽出することも出来る。‘モア’フィールドは、高速ページの個数が単一高速ページ・メッセージ内に含まれることが出来る最大数を超える場合にアサートされる単一ビットであることが出来る。‘モア’フィールドに対して単一ビットを有する実施形態では、受信機４００は、‘モア’ビットに従って、２つの主要な動作分岐を有することが出来る。
【００９０】
‘モア’ビットがアサートされない場合、ハッシュ値比較器４５０は、受信機４００のＡＴＩＨが該高速ページ・メッセージに含まれているかどうかを判定する。もし肯ならば、受信機４００は、後続のページング・メッセージをモニタする。他の場合、該受信機は、該ページング・メッセージをモニタしないことによって電力を節約する。例えば、受信機４００は、スリープ状態に移行して、次の高速ページ・メッセージを待機することが出来る。
【００９１】
‘モア’ビットがアサートされる場合、ハッシュ値比較器４５０は、受信機４００のＡＴＩＨが該高速ページ・メッセージに含まれているかどうかを判定する。もし肯ならば、受信機は、後続のページング・メッセージをモニタする。もしハッシュ値比較器４５０が、受信機４００のＡＴＩＨが該高速ページ・メッセージ中の最大のＡＴＩＨより大であると判定すると、受信機４００は、後続のページング・メッセージをモニタする。他の場合、もしハッシュ値比較器４５０が、受信機４００のＡＴＩＨは、該高速ページ・メッセージ中に存在しないし、且つ、該高速ページ・メッセージ中の最大のＡＴＩＨより大ではない、と判定すると、受信機４００は、ページング・メッセージをモニタしないことによって電力を節約する。
【００９２】
ページング・モジュール（図示されない）の様な受信機内部の他のモジュールは、ハッシュ値比較器４５０の出力上で動作できる。もしアクセス端末に関連付けられるＡＴＩＨが該高速ページ・メッセージ中に存在するならば、該ページング・モジュールは、該ページング・メッセージをモニタするように該受信機に命令出来る。それに代わって、もしアクセス端末に関連付けられるＡＴＩＨが該高速ページ・メッセージ中に存在しないし、且つ、‘モア’フィールドによって指示されてないならば、該ページング・モジュールは、該受信機に高速ページング・メッセージの次の発生までスリープ状態に移行するように命令出来る。
【００９３】
図５は、高速ページ・メッセージを生成する方法５００の一実施形態の簡略化された流れ図である。方法５００は、例えば、図１のアクセス・ポイント、図２の送信機システム、或いは図３のシステム、によって実行されることが出来る。
【００９４】
方法５００は、ブロック５０２で開始し、該ブロックでは、システムは、伝送のためにスケジュールされたページング・メッセージを有する複数のアクセス端末の識別情報を決定する。該システムは、ページング・メッセージを受信するようにスケジュールされた独立した複数のアクセス端末の識別情報を決定するために、例えば、該ページング・メッセージ中のＡＴＩ値を検査することが出来る。
【００９５】
システムは、ブロック５０４に進み、ページング・メッセージを受信するようにスケジュールされた独立した複数のアクセス端末の個数を計数するかさもなければ判定する。システムは、判定ブロック５１０に進み、ページング・メッセージを受信するようにスケジュールされた該複数のアクセス端末の個数が０であるかどうかを判定する。システムは、例えば、計数値を数０と比較することが出来る。もし肯ならば、システムは、ブロック５１４に移行し、０個のアクセス端末を示す予備値を検索する。システムは、ブロック５１４から下記に説明されるブロック５５０に進行する。
【００９６】
もし、判定ブロック５１０において、システムがアクセス端末の個数は０ではないと判定するならば、システムは、ブロック５１２に進んで、ページング・メッセージを受信するようにスケジュールされたアクセス端末の個数がある事前に決定された最大個数、Ｍａｘ、より大であるかどうかを判定する。もし否であるならば、システムは、下記に説明されるブロック５３０に移行する。
【００９７】
もし、判定ブロック５１２において、該個数が該事前に決定された最大個数、Ｍａｘ、より大であるとシステムが判定するならば、システムは、ブロック５２０に進行する。ブロック５２０では、システムは、高速ページ・メッセージにおけるページングの個数、ＮｕｍＰａｇｅ、を該最大個数に等しいと設定する。即ち、システムは、ＮｕｍＰａｇｅ＝Ｍａｘと設定する。システムは、ブロック５２２に進み、Ｍａｘ個より大きな高速ページングの存在を示すために、‘モア’フラッグを設定する。
【００９８】
システムは、ブロック５３０に進み、ページング・メッセージを受信するようにスケジュールされたそれぞれのアクセス端末に対するＡＴＩＨを決定するループを追跡する計数器を初期化し、そして、複数のアクセス端末に対する複数のＡＴＩ値を最小から最大への順に並べる。システムは、ブロック５４０に進み、初期化時に層別されたＡＴＩ値の順序に従ってアクセス端末のＡＴＩＨを決定することが出来る。１つの実施形態では、システムは、ＮｕｍＰａｇｅ値に一部は基づいてＡＴＩＨを決定することが出来る。ＮｕｍＰａｇｅ値が大であるほど、対応するＡＴＩＨにおけるビット数は小である。
【００９９】
システムは、判定ブロック５４２に進み、計数値がＮｕｍＰａｇｅ値に等しいかどうかを判定する。もし否であるならば、必ずしも全てのＡＴＩＨ値が計数されてしまったたわけではない。システムは、ブロック５４４に進み、計数器を１つ増加させる。システムは、ブロック５４４からブロック５４０に戻って次のＡＴＩＨ値を決定する。
【０１００】
もし、判定ブロック５４２において、システムが計数値は、ＮｕｍＰａｇｅ値に等しいと判定するならば、現在の高速ページ・メッセージに対する全てのＡＴＩＨ値は、既に決定されている。システムは、ブロック５５０に進む。
【０１０１】
ブロック５５０では、システムは、該高速ページ・メッセージをアセンブルすることを開始する。システムは、別名計数フィールドとも呼ばれる個数フィールドをＮｕｍＰａｇｅ値に設定して、該高速ページ・メッセージ内のＡＴＩＨ値の個数と、ある場合には、ＡＴＩＨ値のフォーマットを示す。
【０１０２】
システムは、ブロック５５２に進んで、ＡＴＩＨ値を連結する。１つの実施形態では、システムは、該ＡＴＩＨ値を、例えば数値順のような、事前に決定された順序で連結する。別の実施形態では、ＡＴＩＨ値を連結する前にＡＴＩＨ値を順序付けない。もしＡＴＩＨ値がなくてその代りにページングがないことを示す予備値のみがあるならば、システムは、該予備値を用いて高速ページング・メッセージを生成する。
【０１０３】
システムは、ブロック５５４に進み、高速ページ・メッセージを事前に決定された長さにするために高速ページング・メッセージに０をパディングする。システムは、高速ページング・ブロックを必ずしもパディングする必要がなく、そしてパディングが実行される場合、システムは、０パディングを必ずしも挿入する必要がないが、しかし、何か他のビットを含めることが出来る。
【０１０４】
システムは、ブロック５５６に進み、過去に決定された‘モア’フラッグの状態に基づいて高速ページ・メッセージに‘モア’フィールドを設定する。システムは、ブロック５６０に進んで、高速ページ・メッセージを有するＯＦＤＭシンボルを生成する。１つの実施形態では、システムは、それぞれの情報をＱＰＳＫ変調することが出来て高速ページ・メッセージの諸部分を持つＯＦＤＭシステムのサブキャリアを運ぶ。
【０１０５】
システムは、ブロック５７０に進み、ＯＦＤＭシンボルの出現をスーパーフレームのタイミングにおける特定のスロットと同期させる。例えば、システムは、高速ページＯＦＤＭシンボルの出現をスーパーフレーム・プリアンブルにおける特定の位置と同期させることが出来る。
【０１０６】
システムは、ブロック５８０に進み、そしてＯＦＤＭシンボルを所望の動作周波数に周波数変換して該ＯＦＤＭシンボルを送信することによって、高速ページ・メッセージを送信する。
【０１０７】
図６は、高速ページ・メッセージを処理する方法６００の一実施形態の簡略化された流れ図である。方法６００は、例えば、図１のアクセス・ポイント、図２の受信機システム、或いは図４の受信機中で実行されることが出来る。
【０１０８】
方法６００は、ブロック６０２で開始する。６０２で受信機は、ＯＦＤＭシンボルを受信し、該シンボルの内の少なくとも１つは、高速ページ・メッセージのある部分又は全てを含む。受信機は、ブロック６１０に進み、１又は複数の受信ＯＦＤＭシンボルから高速ページ・メッセージを復元する。１つの実施形態では、受信機は、スーパーフレームのタイミングと同期して、スーパーフレーム・プリアンブルにおいて出現する特定のＯＦＤＭシンボルから高速ページング・メッセージ全体を復元する。
【０１０９】
受信機は、ブロック６２０に進み、該高速ページング・メッセージに含まれるＡＴＩＨ値の個数を決定する。１つの実施形態では、受信機は、該高速ページング・メッセージ中のフィールドからＮｕｍＰａｇｅを読み出す。別の実施形態では、受信機は、高速ページ・メッセージの長さ、プリアンブル、確保された終了フィールド、或いは諸因子の組合せに部分的に基づいてＡＴＩＨ値の個数を決定することが出来る。
【０１１０】
受信機は、ブロック６３０に進み、該高速ページ・メッセージ中のＡＴＩＨ値を該受信機に対応するＡＴＩＨ値と比較する。受信機は、アルゴリズムを使用して自身のＡＴＩＨ値を生成することが出来る、或いは、メモリから、例えば参照表から、自身のＡＴＩＨ値を検索することが出来る。受信機は、ＮｕｍＰａｇｅ値に少なくとも部分的に基づいているフォーマットで自身のＡＴＩＨ値を生成又は検索することが出来る。
【０１１１】
受信機は、判定ブロック６３２に進んで、第１のＡＴＩＨが該受信機のＡＴＩＨと合致するかどうかを判定する。もし肯なら、受信機は、それ以上比較を実行する必要がない、そして、ブロック６５０に進み、１又は複数のページング・メッセージのためのページング・チャネルをモニタする。
【０１１２】
もし、判定ブロック６３２において、受信機が該高速ページング・メッセージから検索される現在のＡＴＩＨが該受信機のＡＴＩＨと合致しないと判定するならば、受信機は、判定ブロック６４０に進んで、該高速ページング・メッセージ中の全てのＡＴＩＨ値が検査されてしまったかどうかを判定する。もし否なら、受信機は、判定ブロック６４２に進んで、該高速ページング・メッセージから次のＡＴＩＨを検索する。次に受信機は、ブロック６３０に戻ってＡＴＩＨ値の比較を実行する。
【０１１３】
もし、判定ブロック６４０において、受信機が該高速ページング・メッセージ中の全てのＡＴＩＨ値は、検査されしまったと判定するならば、受信機は、判定ブロック６６０に進んで、該高速ページング・メッセージ中の‘モア’ビットがアサートされているかどうかを判定する。
【０１１４】
もし‘モア’ビットが設定されてないならば、受信機は、判定ブロック６６０からブロック６７０に進んで、スリープ状態に移行することが出来る、或いは、可能性のあるページング・メッセージのためのページング・チャネルを別のやり方でモニタしないことが出来る。
【０１１５】
しかしながら、もし受信機がブロック６６０において‘モア’ビットが設定されていると判定するならば、受信機は、判定ブロック６５２に移行して、該受信機のＡＴＩＨが該高速ページ・メッセージ中の最大のＡＴＩＨより大であるかどうかを判定する。もし否であれば、受信機は、ブロック６７０に移行して、スリープ状態に移行することが出来る。
【０１１６】
もし受信機が該受信機のＡＴＩＨは、該高速ページング・メッセージ中の最大のＡＴＩＨより大であると判定するならば、受信機は、判定ブロック６５２からブロック６５４に進んでページング・メッセージのためのページング・チャネルをモニタする。
【０１１７】
上述の手法は、送られることが必要な高速ページングの個数が最大個数より大である場合、該高速ページング・メッセージ中の最大のＡＴＩＨより大きいＡＴＩＨを持つアクセス端末のみが該ページング・チャネルをモニタする必要がある、という利点を有する。他のアクセス端末は、該ページング・チャネルをモニタしないことによって電力を節約することが出来る。
【０１１８】
ちょうど最大個数のページングがある場合、該アサートされない‘モア’ビットは、該高速ページ・メッセージにおいて特定されない全てのアクセス端末に、該ページング・チャネル上には受信されるべきページング・メッセージがないことを伝達する。それ等の利用者達は、かくして該ページ・メッセージを読まないことによって電力を節約できる。
【０１１９】
図７は、高速ページ・メッセージを生成して送信するためのシステム７００の一実施形態の簡略化された機能ブロック図である。
【０１２０】
システム７００は、情報をスケジュールするための手段７０４に接続される、タイミングをシステム・タイミングと同期させるためのオプションの手段７０２を含む。情報をスケジュールするためのオプションの手段７０４は、タイミングをシステム・タイミングと同期させるための手段７０２からの出力に基づいてスケジュールすることが出来る。情報をスケジュールするための手段７０４は、複数のアクセス端末の内の何れが伝送のためにスケジュールされたページング・メッセージを有するか、そして従って、該高速ページ・メッセージで通知される１又は複数のアクセス端末の識別情報、を決定するために構成されることが出来る。
【０１２１】
情報をスケジュールするための手段７０４は、圧縮識別子値を生成するための手段７１０に接続され、該手段７１０は、スケジュールされたページング・チャネル伝送に基づき該高速ページ・メッセージにおいて通知される少なくとも１つのアクセス端末に対して圧縮識別子値を生成するために構成される。圧縮識別子値を生成するための手段７１０は、ページ・メッセージの個数を計数するためのオプションの手段７１２とアクセス端末識別子を圧縮するためのオプションの手段７１４に接続されることが出来る。圧縮識別子値を生成するための手段７１０は、他のブロックで生成された構成要素から高速ページ・メッセージを生成するために動作する高速ページ・メッセージをアセンブルするための手段７１６に接続される。例えば、高速ページ・メッセージをアセンブルするための手段７１６は、圧縮識別子を含む高速ページ・メッセージを生成する。
【０１２２】
圧縮識別子値を生成するための手段７１０は、オプションで、高速ページ・メッセージを符号化するための手段７２０に、該高速ページ・メッセージを接続する。高速ページ・メッセージを符号化するための手段７２０は、高速ページ・メッセージを符号化することが出来て符号化された高速ページ・メッセージを生成する。高速ページ・メッセージを符号化するための手段７２０は、高速ページ・メッセージを送信処理するためのオプションの手段７３０に、符号化された高速ページ・メッセージを接続する。高速ページ・メッセージを処理するための手段７３０は、高速ページ・メッセージを有するＯＦＤＭシンボルを生成するために構成されることが出来る。高速ページ・メッセージを処理するための手段７３０は、該ＯＦＤＭシンボルをシステム・タイミングと同期させることも出来て、スーパーフレームのプリアンブル中の事前に決定されたスロットの期間に該ＯＦＤＭシンボルが出現するように同期させることが出来る。
【０１２３】
高速ページ・メッセージを処理するための手段７３０は、該ＯＦＤＭシンボル又は該高速ページ・メッセージを有するシンボルを、無線信号を送信するための手段７４０、に接続する。該送信するための手段は、周波数変換するために、増幅するために、フィルタ処理するために、及び、その他１又は複数の該ＯＦＤＭシンボルのような、高速ページ・メッセージの少なくとも一部分を含む無線信号を処理するために、構成されることが出来て、アンテナ７４４を介して送信されることが出来るＲＦ信号を供給する。
【０１２４】
図８は、高速ページ・メッセージを処理するために構成された受信機８００の一実施形態の簡略化された機能ブロック図である。受信機８００は、高速ページング・メッセージを有する、例えば１又は複数のＯＦＤＭシンボルのような、無線信号を受信するために構成されたアンテナ８０２を含む。
【０１２５】
該アンテナは、高速ページ・メッセージを有する無線信号を受信するための手段８１０に該ＯＦＤＭシンボルを接続する。該受信するための手段は、例えば、該受信ＯＦＤＭシンボルをベースバンドＯＦＤＭシンボル又はサンプルへと処理するために構成される。タイミングを同期させるためのオプションの手段８２０は、受信サンプルをＯＦＤＭシンボル・タイミングに合わせて同期させるために動作する。
【０１２６】
無線信号を受信するための手段８１０の出力は、高速ページ・メッセージを復元するための手段８３０に接続される。該復元するための手段は、ＯＦＤＭシンボルを処理してＯＦＤＭサブキャリア上で変調された内在情報を復元するために構成される。高速ページ・メッセージを有する単一又は複数のＯＦＤＭシンボルに対して、高速ページ・メッセージを復元するための手段８３０は、ＯＦＤＭサブキャリアを復調して、符号化された高速ページ・メッセージであることが出来る高速ページ・メッセージを復元する。高速ページ・メッセージを復元するための手段８３０は、高速ページ・メッセージ中の圧縮識別子の個数を決定するための手段８３２と連結して動作する。該決定するための手段は、高速ページ・メッセージ中にいかに多くの高速ページングが含まれるかを決定するために動作する。高速ページ・メッセージ中の圧縮識別子の個数を決定するための手段８３２は、例えば、圧縮識別子値の個数又は高速ページングの個数を示す高速ページ・メッセージ中の計数フィールドを読み出すための手段を含む。
【０１２７】
高速ページ・メッセージを復元するための手段８３０は、高速ページ・メッセージを復号するためのオプションの手段８４０に、符号化された高速ページ・メッセージを接続する。該復号するための手段は、該符号化された高速ページ・メッセージを復号して高速ページ・メッセージを復元するために構成される。高速ページ・メッセージを復号するための手段８２０の出力は、高速ページ・メッセージの圧縮識別子値を比較するための手段８５０に接続される。高速ページ・メッセージの該圧縮値を比較するための手段８５０は、該高速ページ・メッセージ内の、ＡＴＩＨ値であることが出来る、圧縮識別子値を該アクセス端末又は受信機に対応する事前に決定された圧縮識別子値と比較する。
【０１２８】
ＡＴＩＨ値を比較するための手段８５０は、ページング・メッセージに対してスケジュールされたアクセス端末が該高速ページ・メッセージにおいて表わされることが出来るよりもさらに多いかどうかを判定するために、高速ページ・メッセージ中の‘モア’ビットのような、‘モア’フィールドを検査することも出来る。受信機は、高速ページ・メッセージ中の‘モア’ビットの結果と組み合わせた該比較の結果に基づいてどんな対応を取るべきかを決定することが出来る。
【０１２９】
圧縮識別子値を決定するための手段８６０は、高速ページ・メッセージにおいて使用されるフォーマットで、ＡＴＩＨのような、圧縮識別子値を生成する、さもなければ、検索するために構成されることが出来る。１つの実施形態では、圧縮識別子を決定するための手段８６０は、圧縮識別子値を記憶するための手段８６２を含み、そして、圧縮識別子を決定するための該手段８６０は、例えば、高速ページ・メッセージ中のページングの個数に基づいて、特別なフォーマットのＡＴＩＨ値を検索する。
【０１３０】
高速ページ・メッセージを生成し且つ高速ページ・メッセージを処理するための複数のシステムと複数の方法が本明細書で説明されている。本明細書で説明された高速ページ・メッセージは、単一の高速ページ・メッセージにおいて実質的に無制限な数のアクセス端末に通知する能力を保持しているけれども、高速ページングの衝突を軽減するために高速ページ・メッセージのフォーマット中に柔軟性を考慮する。
【０１３１】
本明細書で使用されたように、用語結合される或いは接続されるは直接結合又は接続と同様に間接結合又は接続を意味するために使用される。２以上のブロック、モジュール、デバイス、或いは設備が結合される場合、該２つの結合されるブロックの間に介在する１又は複数のブロックがあっても良い。
【０１３２】
本明細書中で開示された実施形態と関連して説明された種々の説明的な論理ブロック、モジュール、及び回路は、汎用プロセッサ、デジタル信号プロセッサ（digital signal processor）（ＤＳＰ）、縮小命令セットコンピュータ（Reduced Instruction Set Computer）（ＲＩＳＣ）プロセッサ、特定用途向け集積回路（application specific integrated circuit）（ＡＳＩＣ）、フィールド・プログラマブル・ゲート・アレイ（field programmable gate array）（ＦＰＧＡ）或は他のプログラム可能な論理デバイス、ディスクリート・ゲート（discrete gate）或はトランジスタ・ロジック（transistor logic）、ディスクリート・ハードウェア部品（discrete hardware components）、或は本明細書に記載された機能を実行するために設計されたそれ等の任意の組合せ、を用いて実装又は実行されることが出来る。汎用プロセッサは、マイクロプロセッサであって良い、しかしその代わりに、該プロセッサは、任意のプロセッサ、制御器、マイクロ制御器、或はステート・マシン（state machine）であって良い。プロセッサは、計算デバイスの組合せ、例えば、ＤＳＰとマイクロプロセッサの組合せ、複数のマイクロプロセッサ、ＤＳＰコアと結合された１又は、複数のマイクロプロセッサ、或は、任意の他のこのような構成、として実装されることも可能である。
【０１３３】
ファームウェア及び／又はソフトウェア実装に関しては、本明細書で説明された技術は、本明細書で説明された機能を実行する命令（例えば、処理、関数、等々）として実装されることが出来る。ファームウェア・コード及び／又はソフトウェア・コードは、メモリ中に記憶されることが出来て、１又は複数のプロセッサによって実行されることが出来る。該メモリは、該プロセッサの内部或いは該プロセッサの外部に実装されることが出来る。
【０１３４】
本明細書中で開示された実施形態に関連して説明された方法、プロセス、或はアルゴリズムの諸ステップは、直接ハードウェアにおいて、プロセッサにより遂行されるソフトウェア・モジュールにおいて、或は両者の組合せにおいて、具体化されることが可能である。方法或いはプロセス中の種々のステップ或いは動作は、示された順序で実行されることが出来るし、或いは、別な順序で実行されることが出来る。更に、１又は複数のプロセス・ステップ又は方法ステップは省略されることが可能であり、或いは、１又は複数のプロセス・ステップ又は方法ステップが本方法及びプロセスに付加されることが可能である。追加のステップ、ブロック、或いは動作は、本方法及びプロセスの開始において、終了において、或いは中間に存在する諸要素において、付加されることが可能である。
【０１３５】
開示された諸実施形態の上述の説明は、当業者の誰もが本開示を作る或は利用することを可能にするために提供されている。これ等の実施形態への種々の変更は、当業者等には容易に明白であり、そして、本明細書中で定義される包括的な原理は、本開示の精神或は範囲を逸脱することなく、他の実施形態に適用されることが出来る。かくして、本開示は、本明細書中に示される諸実施形態に限定されるようには意図されておらず、本明細書で開示された原理及び新規性と首尾一貫する最も広い範囲を認容されるべきである。
【図面の簡単な説明】
【０１３６】
【図１】図１は、多元接続無線通信システムの一実施形態の簡略化された機能ブロック図である。
【図２】図２は、多元接続無線通信システムにおける送信機と受信機の一実施形態の簡略化された機能ブロック図である。
【図３】図３は、高速ページ・メッセージを生成して送信するためのシステムの一実施形態の簡略化された機能ブロック図である。
【図４】図４は、高速ページング・メッセージを処理するために構成された受信機の一実施形態の簡略化された機能ブロック図である。
【図５】図５は、高速ページ・メッセージを生成する方法の一実施形態の簡略化された流れ図である。
【図６】図６は、高速ページ・メッセージを処理する方法の一実施形態の簡略化された流れ図である。
【図７】図７は、高速ページ・メッセージを生成して送信するためのシステムの一実施形態の簡略化された機能ブロック図である。
【図８】図８は、高速ページ・メッセージを処理するために構成された受信機の一実施形態の簡略化された機能ブロック図である。
【符号の説明】
【０１３７】
１００…多元接続無線通信システム、１０２、１０４、１０６…セル、１１２〜１２８…アンテナ、１３０〜１４０…アクセス端末、１４２、１４４、１４６…アクセス・ポイント、２００…多元接続無線通信システムにおける送信機と受信機、２１０…送信機システム、２２４ａ〜２２４ｔ…ＮＴ個のアンテナ、２５０…受信機システム、２５２ａ〜２５２ｒ…ＮＲ個のアンテナ、３００…高速ページ・メッセージ生成送信システム、４００…高速ページ・メッセージ処理受信機、５００…高速ページ・メッセージ生成方法、６００…高速ページ・メッセージ処理方法、７００…高速ページ・メッセージ生成送信システム、８００…高速ページ・メッセージ処理受信機。
【図１】
2008547287.tif 000003
【図２】
2008547287.tif 000004
【図３】
2008547287.tif 000005
【図４】
2008547287.tif 000006
【図５】
2008547287.tif 000007
【図６】
2008547287.tif 000008
【図７】
2008547287.tif 000009
【図８】
2008547287.tif 000010
【国際調査報告】
2008547287.tif 000011